(57)【要約】【課題】本発明は、粘着テープの露出する粘着面に接触してガイドする構成であっても、粘着層の一部剥離や、粘着面の汚染を確実に防止でき、信頼性の向上を図れる粘着テープ供給装置と、この装置を用いた粘着テープ貼付け装置および貼付け方法を提供する。【解決手段】粘着性のある異方性導電シート３の片側面に台紙４を貼り合せ、片側面に粘着面ａが露出する粘着テープ５を順次繰り出す供出リール１１と、この供出リールから繰り出された粘着テープを移動案内する複数のガイドローラからなるガイド機構Ｇとを備え、ガイド機構における少なくとも１つのガイドローラである第２のガイドローラ１３は、多数のエア噴出し孔２７が設けられるとともに、ガイド面２０ａから高圧エアを噴出し、粘着テープの粘着面に対してガイド面を非接触状態にしてガイドする。【選択図】      図１
2008150146.tif 000002
【特許請求の範囲】
【請求項１】
粘着性のある異方性導電シートの片側面に台紙を貼り合せ、片側面に異方性導電シートの粘着面が露出する粘着テープを順次繰り出す供出手段と、この供出手段から繰り出された前記粘着テープを移動案内する複数のガイド体からなるテープ案内手段とを備えた粘着テープ供給装置であって、
前記テープ案内手段における少なくとも１つのガイド体は、多孔質材料から構成されるとともに、ガイド体のガイド面から高圧エアを噴出して、前記粘着テープを構成する前記異方性導電シートの粘着面に対して前記ガイド面を非接触状態にしてガイドすることを特徴とする粘着テープ供給装置。
【請求項２】
粘着性のある異方性導電シートの片側面に台紙を貼り合せ、片側面に異方性導電シートの粘着面が露出する粘着テープを順次繰り出す供出手段と、この供出手段から繰り出された前記粘着テープを移動案内する複数のガイド体からなるテープ案内手段とを備えた粘着テープ供給装置であって、
前記テープ案内手段における少なくとも１つのガイド体は清掃用シートで覆われていて、前記清掃用シートが前記粘着テープを構成する前記異方性導電シートの粘着面と前記ガイド体のガイド面との間に介在することを特徴とする粘着テープ供給装置。
【請求項３】
粘着性のある異方性導電シートの片側面に台紙を貼り合せ、片側面に異方性導電シートの粘着面が露出する粘着テープを順次繰り出す供出手段と、この供出手段から繰り出された前記粘着テープを移動案内する複数のガイド体からなるテープ案内手段とを備えた粘着テープ供給装置であって、
前記テープ案内手段は、所定間隔を存して配置され前記粘着テープを構成する前記台紙に転接して粘着テープをガイドする一対のガイド体と、これら一対のガイド体間における前記粘着テープを構成する前記異方性導電シートの粘着面に対して高圧エアを噴付け、粘着テープを前記一対のガイド体に強制的に接触させるエア噴付け体とを具備することを特徴とする粘着テープ供給装置。
【請求項４】
前記請求項１ないし請求項３のいずれかに記載の粘着テープ供給装置を用いて供給された前記粘着テープを物品に貼付ける貼付け手段と、この貼付け手段による貼付け部分から異方性導電シートを残して台紙を剥離する剥離手段とを備えたことを特徴とする粘着テープ貼付け装置。
【請求項５】
前記請求項１ないし請求項３のいずれかに記載の粘着テープ供給装置を用いて供給された前記粘着テープを物品に貼付け、この貼付け部分から異方性導電シートを残して台紙を剥離することを特徴とする粘着テープ貼付け方法。
【発明の詳細な説明】
【技術分野】
【０００１】
本発明は、異方性導電シートの片側面に台紙を貼り合せ、片側面から異方性導電シートの粘着面が露出する粘着テープを供給する粘着テープ供給装置と、この装置から供給される粘着テープを物品に貼付けるとともに台紙を剥離する粘着テープ貼付け装置および貼付け方法に関する。
【背景技術】
【０００２】
たとえば液晶ディスプレイの製造工程において、異方性導電シートが用いられる。異方性導電シートは粘着性を有する導電層からなり、片側面には台紙が貼付けられ、片側面から異方性導電シートの粘着面が露出する粘着テープである。前記粘着テープは、粘着テープ供給装置を構成する供出リールに巻装されていて、そのままの状態で繰り出される。
【０００３】
そして、粘着テープはテープ案内手段を構成する複数のガイドローラでガイドされ、かつテンションローラにより所定のテンションが与えられて、蛇行や波打ちによる位置ずれが防止される。粘着テープは粘着テープ供給装置から導出されて、粘着テープ貼付け装置に導かれる。
【０００４】
粘着テープ貼付け装置においては、テーブル上に液晶を構成する基板が載置されていて、粘着テープ供給装置から供給された粘着テープは基板上に導かれる。ここで貼付け手段が作用して異方性導電シートを基板の電極に貼付け、そのあと台紙を剥離して異方性導電シートの粘着層を露出させ、タブ部品の電極を貼付ける。
【０００５】
［特許文献１］には、粘着テープを供給するロールの直径の大小や、粘着テープの粘着力の強弱にかかわらず、粘着テープを一定の張力で繰り出すことができるとともに、装置を大型化することなく、また粘着面を汚染することの少ない粘着テープの繰り出し装置と、これを用いた粘着テープ貼付け装置が開示されている。
【０００６】
【特許文献１】特開２００２−２００２８号公報
【発明の開示】
【発明が解決しようとする課題】
【０００７】
ところが、［特許文献１］の技術では駆動ローラ専用の駆動源であるモータを備える必要があるとともに、駆動ローラを介して供出リールに所定の張力を付与するためのフリクション継手を設けている。結果的に、フリクション継手が張力を付与する分、モータは駆動力が大のものを備えなければならず、装置が大型化して、ランニングコストが嵩む。
【０００８】
一般的な粘着テープ供給装置は、供出リールから繰り出された粘着テープを複数のガイドローラでガイドする。その途中には、スプリングの一端が掛止されるテンションローラを備えていて、粘着テープには所定のテンションが付与される。このような装置であれば、廉価に提供でき、装置の大型化を避けてランニングコストが僅かですむ。
【０００９】
この種の装置でも、可能な限り粘着テープの台紙側をガイドローラとテンションローラに転接させ、異方性導電シートの粘着面には接触しないようにする。ローラのガイド面と粘着面が接触すると、異方性導電シートを構成する導電層の一部が剥離してローラに付着し、あるいはローラから粘着面にコンタミ（塵埃）が付着して粘着面が汚染される。
【００１０】
しかしながら、ガイド径路の取り方をどのように設定し直しても、必ず、少なくとも一つのガイドローラもしくはテンションローラが、異方性導電シートの粘着面に転接してしまう。このローラのガイド面に対して、いわゆるアドロンコーティング処理をなし、上述の導電層の一部剥離や粘着面の汚染を少なくする手段が採用されるが、完全ではない。
【００１１】
本発明は上記事情にもとづきなされたものであり、その目的とするところは、粘着テープの異方性導電シート粘着面に接触してガイドする構成であっても、導電層の一部剥離や、粘着面の汚染を確実に防止し、信頼性の向上を図れる粘着テープ供給装置と、この装置を用いた粘着テープ貼付け装置および貼付け方法を提供しようとするものである。
【課題を解決するための手段】
【００１２】
上記目的を満足するため本発明の粘着テープ供給装置は、粘着性のある異方性導電シートの片側面に台紙を貼り合せ片側面に異方性導電シートの粘着面が露出する粘着テープを順次繰り出す供出手段と、この供出手段から繰り出された前記粘着テープを移動案内する複数のガイド体からなるテープ案内手段とを備え、テープ案内手段における少なくとも１つのガイド体は、多孔質材料から構成されるとともにガイド体のガイド面から高圧エアを噴出し、粘着テープを構成する異方性導電シートの粘着面に対してガイド面を非接触状態にしてガイドする。
【００１３】
上記目的を満足するため本発明の粘着テープ貼付け装置は、前記粘着テープ供給装置を用いて供給された粘着テープを物品に貼付ける貼付け手段と、この貼付け手段による貼付け部分から異方性導電シートを残して台紙を剥離する剥離手段とを備える。
【００１４】
上記目的を満足するため本発明の粘着テープ貼付け方法は、前記粘着テープ供給装置を用いて供給された粘着テープを物品に貼付け、この貼付け部分から異方性導電シートを残して台紙を剥離する。
【発明の効果】
【００１５】
本発明によれば、粘着テープの露出する異方性導電シート粘着面に接触してガイドする構成であっても、導電層の一部剥離や、粘着面の汚染を確実に防止でき、信頼性の向上を図れる効果を奏する。
【発明を実施するための最良の形態】
【００１６】
以下、本発明の実施の形態を、図面にもとづいて説明する。  
図６に示すように、たとえば液晶を構成する基板１の表面において、表示領域の範囲外には複数の電極２が設けられていて、この電極２上に、後述する粘着テープ供給装置１０から供給される異方性導電シート３が、粘着テープ貼付け装置５０によって貼付けられるようになっている。
【００１７】
前記異方性導電シート３の片側面には台紙４が貼付けられていて、これらで粘着テープ５を構成する。前記粘着テープ５の露出していた異方性導電シート３の導電層からなる粘着面が電極２に貼着され、台紙４はそのあと異方性導電シート３から剥離される。したがって、それまで台紙４によって覆われていた異方性導電シートの粘着面ａが露出する。
【００１８】
つぎに、電子部品６が実装され所定の配線パターンが形成されたタブ部品７が、異方性導電シート３の新たに露出した粘着面ａに重ね合わされる。この状態で一定加圧が加えられ、基板１の電極２とタブ部品７側の電極８とが異方性導電シート３を介して電気的に接続されるようになっている。
【００１９】
図１は、第１の実施の形態として、前記粘着テープ供給装置（一点鎖線で囲まれる）１０を備えた粘着テープ貼付け装置５０の概略の構成図である。（なお、文中に符号を付していない構成部品については図示していない。以下、同）
粘着テープ供給装置１０として、粘着テープ５が巻装された供出機構（供出手段）である供出リール１１を備えている。粘着テープ５は、台紙（実線で示す）４と、片側面に台紙４が貼り合わされて覆われ、片側面に粘着性のある粘着面ａが露出する異方性導電シート（破線で示す）３とからなる。
【００２０】
粘着テープ５が供出リール１１に巻装された状態で、異方性導電シート３の粘着面ａが内側である供出リール１１の軸芯ｂ側になり、台紙４が外側になる。したがって、外周側粘着テープ５の異方性導電シート３の粘着面ａが内周側粘着テープ５の台紙４に密接しているが、供出リール１１から繰り出されると前記異方性導電シート３の粘着面ａは前記台紙４から容易に離反し、繰り出しにあたっては何らの支障もない。
【００２１】
前記供出リール１１の粘着テープ５繰り出し側には、複数のガイドローラ（ガイド体）１２〜１４と、１つのテンションローラ１５からなるガイド機構（テープ案内手段）Ｇが設けられている。ここでは、前記供出リール１１から粘着テープ５が略水平方向に繰り出されていて、この繰り出し方向に第１のガイドローラ１２が設けられる。
【００２２】
前記第１のガイドローラ１２は、軸芯部ｃが軸受け具によって回転自在に支持され、周面には何らの加工も施されていない円滑面をなしている。第１のガイドローラ１２の軸方向長さは粘着テープ５の幅方向長さよりも若干長く形成されるとともに、両側部には鍔部が突設され、寸法的に余裕を持ち確実に粘着テープ５をガイドできる。
【００２３】
第１のガイドローラ１２は、粘着テープ５を垂直方向に向けてガイドするようになっていて、このガイド方向にはテンションローラ１５が設けられる。テンションローラ１５は、軸芯部ｄにスプリング１６の一端部が掛止され、直下方向に一定の引張り力が常に作用している。ガイド部の軸方向長さと、周面形状および両側部に鍔部が突設されることは、第１のガイドローラ１２と同様である。
【００２４】
前記テンションローラ１５の直上部には、後述する第２のガイドローラ１３が設けられている。前記第１のガイドローラ１２からテンションローラ１５を介して第２のガイドローラ１３に略Ｕ字状にガイドされる粘着テープ５は、前記テンションローラ１５によって一定の張力が付与される。したがって、粘着テープ５はたるみや蛇行などが生じることなく、粘着テープ供給装置１０内を移動案内される。
【００２５】
前記第２のガイドローラ１３の直下部位には第３のガイドローラ１４が設けられていて、第２のガイドローラ１３からガイドされた粘着テープ５を略水平方向にガイドする。これらで粘着テープ供給装置１０が構成されていて、粘着テープ５は第３のガイドローラ１４から水平方向に延出され、粘着テープ貼付け装置５０に供給されるようになっている。
【００２６】
前記第２のガイドローラ１３は、図２（Ａ）（Ｂ）に示すように構成される。図２（Ａ）は第２のガイドローラ１３の正面図、図２（Ｂ）は第２のガイドローラ１３の断面図である。
【００２７】
第２のガイドローラ１３は、軸方向長さの略中央部に所定直径で、かつ前記粘着テープ５の幅方向長さよりも僅かに長いガイド部２０を備えている。このガイド部２０の軸方向両側部には、ガイド部２０周面であるガイド面２０ａから少なくとも粘着テープ５の厚み寸法よりも大なる高さに突出する鍔部２１が一体に設けられる。
【００２８】
両鍔部２１のさらに両側面にはボス部２２が設けられていて、これらボス部２３は支持具に取付け固定される。すなわち、第２のガイドローラ１３は後述するように回転する必要がないので、支持具は第２のガイドローラ１３を固定支持するが、第２のガイドローラ１３を回転自在に支持するようにしても良いことは勿論である。
【００２９】
一方のボス部２２側面から継手２３が突設されていて、この継手２３には図１に実線で示す高圧配管Ｐが接続される。前記高圧配管Ｐにはフィルタ２４が設けられるとともに、このフィルタ２４を介して高圧エアポンプ２５が接続される。前記高圧エアポンプ２５が駆動することにより、外部空気が圧縮され高圧化してフィルタ２４に導かれ、さらに第２のガイドローラ１３に導かれるようになっている。
【００３０】
再び図２に示すように、第２のガイドローラ１３には、前記継手２３と連通するエア導入孔２６が設けられている。前記エア導入孔２６は、継手２３が設けられたボス部２２側面から、他方の継手２３が設けられていないボス部２２の側面近傍部位まで、軸芯に沿って設けられている。なお、このエア導入孔２６は他方のボス部２２の側面から開口するように設けてはならない。
【００３１】
前記ガイド部２０には軸方向に沿って複数列（ここでは３列）で、互いに所定の角度を存してエア噴出し孔２７が設けられる。全てのエア噴出し孔２７は、ガイド面２０ａの所定部位から前記エア導入孔２６を介して１８０°対向するガイド面２０ａ部位に貫通して設けられる。
【００３２】
実際には、図１に示すように第２のガイドローラ１３における上半分のガイド面２０ａで粘着テープ５をガイドするので、エア噴出し孔２７はガイド面２０ａの上半分のみに開口していればよい。しかしながら製作加工上は、ガイド面２０ａから軸芯にあるエア導入孔２６を介して１８０°対向するガイド面２０ａ部位に貫通する構成であれば、途中までの加工よりも簡単ですむ。
【００３３】
結果として、前記第２のガイドローラ１３におけるガイド面２０ａには、軸芯に設けられるエア導入孔２６と連通する多数のエア噴出し孔２７が開口している。このことから、第２のガイドローラ１３自体が、いわゆる多孔質な素材から構成したものと代用してもよい。
【００３４】
前記粘着テープ貼付け装置５０は、前記粘着テープ供給装置１０における第３のガイドローラ１４から搬出される位置に、切断機構であるカッタ５１と貼付け機構（貼付け手段）である貼付けローラ５２が粘着テープ５の移動方向に沿って並設される。第３のガイドローラ１４の搬出方向には、前記基板１を載置するテーブルＴが配置される。
【００３５】
前記カッタ５１は、刃部ｅを上方に向け上下動自在に設けられている。カッタ５１は所定部位に上昇駆動されることにより、刃部ｅが第３のガイドローラ１４と貼付けローラ５２との間に掛け渡される粘着テープ５のうちの台紙４を残して、異方性導電シート３のみを切断するよう構成される。
【００３６】
前記貼付けローラ５２は、粘着テープ供給装置１０から搬出される粘着テープ５に転接するよう位置設定されている。そして、粘着テープ５に転接する状態を保持したまま前記テーブルＴ上の基板１に密着し、かつ基板１に沿って往復動自在に駆動されるようになっている。
【００３７】
前記テーブルＴの近傍部位には、基板供給装置およびタブ部品供給装置が対向して配置されていて、先に図６で説明したように、テーブルＴ上に前記基板１を供給して載置し、かつ基板１に対してタブ部品７を供給するようになっている。
【００３８】
さらに前記粘着テープ貼付け装置５０は、剥離機構（剥離手段）５３および回収部である回収リール５４を備えている。前記剥離機構５３は、上下一対の剥離ローラ５５，５６と、これらローラを回転自在に支持する箱体５７からなる。前記箱体５７は前記テーブルＴの上方部位にあり、剥離ローラ５５，５６を収容したままテーブルＴの一側端から他側端に亘り、往復動自在に駆動されるようになっている。
【００３９】
上部側剥離ローラ５６のみ、先に図２（Ａ）（Ｂ）において説明した第２のガイドローラ１３と同一の形態となっている。すなわち、前記高圧エアポンプ２５とフィルタ２４が設けられる高圧配管Ｐから分岐する高圧配管に接続される継手を備え、周面に鍔部とガイド部が設けられ、継手と連通するエア導入孔と、このエア導入孔に多数のエア噴出し孔が連通してガイド部周面であるガイド面に開口される。
【００４０】
前記回収リール５４は図の位置で回転駆動され、粘着テープ供給装置１０から粘着テープ貼付け装置５０に導かれた粘着テープ５を巻き取り、回収する。そればかりではなく、後述するように剥離機構５３の位置によっては、一旦巻き取った粘着テープ５を必要に応じて繰り出す作用をなす。
【００４１】
以上のようにして、粘着テープ供給装置１０および粘着テープ貼付け装置５０が構成される。  
粘着テープ供給装置１０における供出リール１１において粘着テープ５は上述したように、異方性導電シート３の粘着面ａが内側である供出リール軸芯ｂ側になり、台紙４が外側になるよう巻装されている。供出リール１１の側方部に設けられる第１のガイドローラ１２に対して、粘着テープ５は異方性導電シート（点線）３の粘着面ａを上方に向け、台紙（実線）４を下方に露出した状態で供出される。
【００４２】
第１のガイドローラ１２の下方部位にテンションローラ１５が配置されているので、粘着テープ５は台紙４が第１のガイドローラ１２に接触するようにガイドされる。粘着テープ５は第１のガイドローラ１２からそのままの姿勢で、台紙４がテンションローラ１５に接触するようにガイドされる。
【００４３】
第２のガイドローラ１３はテンションローラ１５の上方部位にあり、第３のガイドローラ１４は第２のガイドローラ１３の下方部位に設けられている。すなわち、テンションローラ１５で上方向にＵターン状にガイドされる粘着テープ５は、第２のガイドローラ１３で下方向に逆Ｕターン状にガイドされる。
【００４４】
前記テンションローラ１５では粘着テープ５は台紙４が接触するようガイドされるが、第２のガイドローラ１３では粘着テープ５は異方性導電シート３の粘着面ａが接触するようガイドされる。第３のガイドローラ１４では、粘着テープ５は台紙４が接触するようガイドされることとなる。
【００４５】
前記粘着テープ貼付け装置５０においては、切断機構であるカッタ５１の刃部ｅが、粘着テープ５の異方性導電シート粘着面ａと対向して設けられ、貼付けローラ５２が粘着テープ台紙４に接触するよう設けられる。すなわち、テーブルＴ上の基板１に粘着テープ５の異方性導電シート粘着面ａが対向することになる。
【００４６】
前記剥離機構５３においては、粘着テープ５は先に下部側剥離ローラ５５によってガイドされるが、下部側剥離ローラ５５には粘着テープ台紙４が接触し、このあとガイドされる上部側剥離ローラ５６には異方性導電シート粘着面ａが接触する。前記回収リール５４においては、台紙４が内側である回収リール５４の軸芯ｆ側になり、異方性導電シート粘着面ａが外側になるよう巻装される。
【００４７】
このようにして粘着テープ５は粘着テープ供給装置１０から粘着テープ貼付け装置５０に導かれる。特に、粘着テープ供給装置１０における第１のガイドローラ１２およびテンションローラ１５に粘着テープ５がガイドされる際には、台紙４が各ローラ１２，１６に接触するので何らの問題もない。
【００４８】
しかしながら、第２のガイドローラ１３において粘着テープ５は、異方性導電シート３の露出する粘着面ａが接触するようにガイドされる。同時に、高圧エアポンプ２５が駆動され、フィルタ２４を介して濾過された清浄な高圧エアが第２のガイドローラ１３に供給される。
【００４９】
清浄な高圧エアは、第２のガイドローラ１３におけるエア導入孔２６から多数のエア噴出し孔２７に導かれ、ガイド部２０の周面であるガイド面２０ａから噴出される。一方、ガイド面２０ａには異方性導電シート粘着面ａが対向しているから、高圧エアはエア噴出し孔２７から異方性導電シート粘着面ａに噴付けられる。粘着テープ５は高圧エアを受けて第２のガイドローラ１３におけるガイド面２０ａから浮き上がる。
【００５０】
結局、異方性導電シート３の粘着面ａは第２のガイドローラ１３のガイド面２０ａに接触することなく、同ガイドローラ１３によってガイドされる。したがって、異方性導電シート３を構成する導電層の一部が剥離してガイド面２０ａに転移し、ガイド面が汚染されたり、ガイド面２０ａに付着していた塵埃が異方性導電シート粘着面ａに転移し、粘着面ａが汚染されるようなこともない。
【００５１】
第３のガイドローラ１４には粘着テープ５の台紙４が接触するので、何らの問題もない。粘着テープ供給装置１０から粘着テープ貼付け装置５０へ導出された粘着テープ５は、一旦、移動が停止され、タイミングをとってカッタ５１が上昇して異方性導電シート３にのみに対して切り目を付ける。
【００５２】
再び粘着テープ５の移動が開始され、カッタ５１による切れ目部分から基板１の長さ分だけ移動した時点で粘着テープ５の移動が停止し、再びカッタ５１が作動して異方性導電シート３のみに切れ目を入れる。先に入れられた切れ目が、基板１の一側端に到達するタイミングをとって粘着テープ５が移動停止される。そして、粘着テープ５の台紙４に貼付けローラ５２が接触し、かつ粘着テープ５をテーブルＴ上の基板１に押付ける。
【００５３】
図１に実線矢印で示すように、貼付けローラ５２は基板１の一端部から他端部に沿って移動（往動）し、それまで下面側に露出していた異方性導電シート３の粘着面ａを基板１に貼付ける。すなわち、先に図６で説明したように、基板１の電極２に異方性導電シート３が貼付けられるが、この時点では台紙４がそのままの状態で残されている。
【００５４】
図１に二点鎖線で示すように、貼付けローラ５２が基板１の他側端に到達し、基板１の全長に亘って異方性導電シート３が貼付けられると、今度は二点鎖線矢印で示すように、貼付けローラ５２は基板１の一側端へ戻る。なお、貼付けローラ５２の高さ位置は全く変りなく、したがって基板１に接触するよう移動（復動）する。
【００５５】
前記貼付けローラ５２の復動と同時に、同速で剥離機構５３が図中二点鎖線矢印方向に移動する。そのため、貼付けローラ５２と剥離機構５３との相互位置関係は全く変わらない状態で、しかも台紙４が各剥離ローラ５５，５６に一部巻装されたままで、貼付けローラ５２および剥離機構５３が移動する。
【００５６】
これらの作用により、粘着テープ５は基板１の電極２に貼付けられた異方性導電シート３を残して、台紙４が異方性導電シート３から剥離されていく。そして、台紙４の剥離にともなって、それまで台紙４によって覆われていた異方性導電シート３の粘着面ａが露出する。
【００５７】
貼付けローラ５２が図１に示す元の実線位置まで復動したところで、貼付けローラ５２と剥離機構５３の移動が停止する。このタイミングで基板１上にタブ部品供給装置からタブ部品７が供給され、新たに露出する異方性導電シート３の粘着面ａにタブ部品７の電極８が貼付けられる。したがって、基板１とタブ部品７は異方性導電シート３を介して電気的に導通状態となる。
【００５８】
つぎに、テーブルＴ上の基板１が取出され、新たな基板１がテーブルＴ上に載置される。そのあと、剥離機構５３が元の位置へ移動して、再び上述したように粘着テープ供給装置１０における粘着テープ５の供給が再開され、基板１に異方性導電シート３が貼付けられる。
【００５９】
前記剥離機構５３により異方性導電シート３から剥離されたあとの台紙４である粘着テープ５は、回収リール５４の回転駆動にともなって巻き取られる。剥離機構５３が図１の二点鎖線矢印方向へ移動する際には、回収リール５４に巻取られていた粘着テープ５が繰り出される。したがって、回収リール５４と剥離機構５３との間で粘着テープ５にたるみが生じるのを防止する。
【００６０】
なお説明すると、貼付けローラ５２が異方性導電シート３を基板１に貼付けたあと、僅かであるが粘着テープ５には異方性導電シート３の一部が残った状態で剥離機構５３に導かれる。具体的には、粘着テープ５は剥離機構５３の下部側剥離ローラ５５に接触したあと、上部側剥離ローラ５６に接触する。
【００６１】
このとき、剥離機構５３の配置構成から下部側剥離ローラ５５に台紙４が接触するので、何らの問題もない。また、上部側剥離ローラ５６には残った異方性導電シート４の粘着面ａが接触するので、そのままでは異方性導電シート３の導電層一部の剥離や、上部側剥離ローラ５６ガイド面の汚れ等の問題が発生してしまう。
【００６２】
しかしながら、上部側剥離ローラ５６は第２のガイドローラ１３と同一構成であり、ガイド面から高圧エアが噴出されて、粘着テープ５がガイド面とは接触せず浮いた状態でガイドされる。したがって、異方性導電シート３の導電層一部の剥離や、上部側剥離ローラ５６ガイド面の汚れ等の不具合は発生しない。
【００６３】
図３は第２の実施の形態として、粘着テープ供給装置１０におけるガイド機構ＧＡの一部概略構成図であり、図４は同実施の形態としての、粘着テープ貼付け装置５０における剥離機構５３Ａの概略構成図である。
【００６４】
はじめに図３から説明すると、テンションローラ１５と第３のガイドローラ１４との間に設けられる第２のガイドローラ１３Ａは、ガイド部には何らの加工も施されていない、通常構造のものである。ただし、第２のガイドローラ１３Ａは清掃用シート６０で覆われていて、この清掃用シート６０が粘着テープ５の異方性導電シート粘着面ａと第２のガイドローラ１３Ａのガイド面との間に介在する。
【００６５】
そのままでは第２のガイドローラ１３Ａが粘着テープ５の異方性導電シート粘着面ａに接触する構成ではあるが、これらガイドローラ１３Ａと粘着面ａとの間に清掃用シート６０が介在しているので、異方性導電シート３の導電層一部が剥離して第２のガイドローラ１３Ａに転移したり、ローラガイド面に付着していた塵埃が異方性導電シート３に転移するのを確実に防止する。
【００６６】
所定期間毎に清掃用シート６０はシート供給部６０Ａから順次繰り出され、繰り出された清掃用シート６０は順次回収部６０Ｂに回収される。清掃用シート６０の摩耗を避けて、常に新たな清掃用シート６０部分がガイドローラ１３Ａと異方性導電シート粘着面ａとの間に介在し、上記効果を確実に保持できる。
【００６７】
つぎに、図４を説明すると、剥離機構５３Ａにおいて下部側剥離ローラ５５とともに上部側剥離ローラ５６Ａも何らの加工も施されていない通常構造のものである。ただし、上部側剥離ローラ５６Ａは清掃用シート６０で覆われていて、清掃用シート６０が粘着テープ５の異方性導電シート粘着面ａと上部側剥離ローラ５６Ａとの間に介在する。
【００６８】
そのままでは上部側剥離ローラ５６Ａが粘着テープ５の異方性導電シート粘着面ａに接触する構成ではあるが、これら剥離ローラ５６Ａと粘着面ａとの間に清掃用シート６０が介在しているので、異方性導電シート３の導電層一部が剥離して剥離ローラ５６Ａに転移したり、剥離ローラ５６Ａに付着していた塵埃が異方性導電シート３に転移するのを確実に防止する。
【００６９】
所定期間毎に清掃用シート６０はシート供給部６０Ａから順次繰り出され、繰り出された清掃用シートは順次回収部６０Ｂに回収される。清掃用シート６０の摩耗を避けて、常に新たな清掃用シート６０部分が上部側剥離ローラ５６Ａと異方性導電シート粘着面ａとの間に介在し、上記効果を確実に保持できる。
【００７０】
図５は、第３の実施の形態としての粘着テープ供給装置１０と粘着テープ貼付け装置５０の概略構成図である。粘着テープ貼付け装置５０においては、先に図１で説明した構成と何ら変りがないので、同構成部品については同番号を付して新たな説明を省略する。
【００７１】
粘着テープ供給装置１０において、供給機構を構成する供出リール１１は先に説明したものと同一であり、同様に粘着テープ５を巻装して繰り出すようになっている。
【００７２】
ガイド機構（ガイド手段）ＧＢを構成する第１のガイドローラ１２と、第２のガイドローラ１３Ａおよび第３のガイドローラ１４ともに、何らの加工も施されていない通常構成のものである。
【００７３】
各ガイドローラ１２，１３Ａ，１４には粘着テープ５の台紙４が接触するように配置されていて、特に第２のガイドローラ１３Ａと第３のガイドローラ１４は所定間隔を存して同一の高さ位置にある。
【００７４】
これら第２のガイドローラ１３Ａと第３のガイドローラ１４間に、ガイド機構ＧＢを構成するエア噴付け体３０とガイド容器３５が設けられている。前記エア噴付け体３０は、第２のガイドローラ１３Ａと第３のガイドローラ１４の下部側から相互間を挿通して、上端が各ガイドローラ１３Ａ，１４よりも高い位置で開口する。
【００７５】
エア噴付け体３０の基端部には高圧配管Ｐが接続されていて、この高圧配管Ｐには前記フィルタを介して前記高圧エアポンプが設けられる。前記ガイド容器３５は、下端が開口され、上端が閉塞される筒状体であり、上端周面に複数の逃げ孔ｇが設けられている。そして、ガイド容器３５は第２、第３のガイドローラ１３Ａ，１４相互間から上方へ突出するエア噴付け体３０を包囲する。
【００７６】
しかして、供出リール１１から繰り出される粘着テープ５が、第１のガイドローラ１２と第２のガイドローラ１３Ａに台紙が接触した状態でガイドされたあと、第３のガイドローラ１４にガイドされる前に、エア噴付け体３０から噴出される高圧エアによって噴上げられる。このことから、粘着テープ５は第２のガイドローラ１３Ａと第３のガイドローラ１４に対して緊張状態となる。
【００７７】
すなわち、前記エア噴付け体３０は、第１の実施の形態で説明したテンションローラ１５の代用として機能する。エア噴付け体３０は清浄な高圧エアを粘着テープ５の異方性導電シート粘着面ａに噴付け、直接、接触しないので、異方性導電シート３の導電層の一部が剥離したり、粘着面ａに塵埃が付着することはない。
【００７８】
前記ガイド容器３５を備えたことにより、ガイド容器３５の逃げ孔ｇから粘着テープ５に噴付けられた高圧エアが効率よく抜けて、粘着テープ５を確実に噴上げることができる。粘着テープ５はガイド容器３５内で噴上げられるので、粘着テープの蛇行など姿勢変更を防止し、安定した噴上げを可能とする。
【００７９】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００８０】
【図１】本発明における第１の実施の形態に係る、粘着テープ供給装置と粘着テープ貼付け装置の概略の構成図。
【図２】同実施の形態に係る、第２のガイドローラの正面図と断面図。
【図３】本発明における第２の実施の形態に係る、粘着テープ供給装置一部の概略の構成図。
【図４】同実施の形態に係る、粘着テープ貼付け装置における剥離機構の概略の構成図。
【図５】本発明における第３の実施の形態に係る、粘着テープ供給装置と粘着テープ貼付け装置の概略の構成図。
【図６】本発明における各実施の形態に共通する、異方性導電シートが貼付けられた基板と、タブ部材の概略の斜視図。
【符号の説明】
【００８１】
３…シート（異方性導電シート）、４…台紙、ａ…粘着面、５…粘着テープ、１１…供出リール（供出手段）、１２…第１のガイドローラ（ガイド体）、１３…第２のガイドローラ（ガイド体）、１４…第３のガイドローラ（ガイド体）、Ｇ、ＧＡ，ＧＢ…ガイド機構（テープ案内手段手段）、２０ａ…ガイド面、２４…フィルタ、６０…清掃用シート、６０Ａ…シート供給部、６０Ｂ…回収部、１３，１４…第２、第３のガイドローラ（ガイド体）、３０…エア噴付け体、３５…ガイド容器、５２…貼付けローラ（貼付け手段）、５３…剥離機構（剥離手段）、５６…上部側剥離ローラ。
【図１】
2008150146.tif 000003
【図２】
2008150146.tif 000004
【図３】
2008150146.tif 000005
【図４】
2008150146.tif 000006
【図５】
2008150146.tif 000007
【図６】
2008150146.tif 000008